(57)【要約】【課題】印刷物を作成するために設定された各種パラメータを容易に取得可能な画像処理装置、画像処理プログラム、およびその画像処理装置の機能を利用した画像出力台帳作成装置を提供することを目的とする。【解決手段】印刷物を作成する際に設定されたパラメータ群を所定の情報読取装置で読み取り可能な画像で表現したバーコード画像を出力画像といっしょに印刷しておく。印刷物を作成する際に設定されたパラメータ群を確認するときには、前述のバーコード画像を情報読取装置で読み取ることにより、容易にパラメータ群を取得することができる。【選択図】　　　　図８
2004023167.tif 000002
【特許請求の範囲】
【請求項１】
入力画像データを取得し該入力画像データに基づいて、画像データに基づいて画像をプリント出力する出力デバイスに適合した出力画像データを生成する画像処理装置において、
入力画像データを取得する画像取得部と、
入力画像データに基づく出力画像データ生成のための複数のパラメータを含むパラメータ群を指定するパラメータ指定部と、
前記画像取得部で取得した入力画像データに基づくとともに、さらに前記パラメータ指定部で指定されたパラメータ群に基づいて、該入力画像データが該パラメータ群に従って変換されてなる第１の画像データと、該パラメータ群自体を、所定の情報読取装置での読取が可能な画像として表現する第２の画像データとが合成された出力画像データを生成する画像処理部と、
前記画像処理部で生成された出力画像データを出力デバイスに向けて出力する画像出力部とを備えたことを特徴とする画像処理装置。
【請求項２】
前記画像処理部は、前記第１の画像データと、前記パラメータ群自体および前記第１の画像データにより表わされる画像のサムネイル画像の双方を所定の情報読取装置で読取可能な形式で表現した画像を表わす第２の画像データとが合成された出力画像データを生成するものであることを特徴とする請求項１記載の画像処理装置。
【請求項３】
前記画像処理部は、前記第１の画像データと前記第２の画像データに加え、さらに、前記第１の画像データにより表わされる画像のサムネイル画像を表わす第３の画像データが合成された出力画像データを生成するものであることを特徴とする請求項１又は２記載の画像処理装置。
【請求項４】
主画像とともに、該主画像を特定するとともに該主画像を生成する過程で行われた画像処理を特定する複数のパラメータを含むパラメータ群を表わすパラメータ画像が記録された出力画像上の、該パラメータ画像を読み取って該パラメータ群を取得する情報読取部と、
前記情報読取部で取得したパラメータ群に基づいて、出力画像の台帳を作成する台帳作成部とを備えたことを特徴とする画像出力台帳作成装置。
【請求項５】
コンピュータ内で実行され、該コンピュータを、入力画像データを取得し該入力画像データに基づいて、画像データに基づいて画像をプリント出力する出力デバイスに適合した出力画像データを生成する画像処理装置として動作させる画像処理プログラムにおいて、
前記コンピュータを、
入力画像データを取得する画像取得部と、
入力画像データに基づく出力画像データ生成のための複数のパラメータを含むパラメータ群を指定するパラメータ指定部と、
前記画像取得部で取得した入力画像データに基づくとともに、さらに前記パラメータ指定部で指定されたパラメータ群に基づいて、該入力画像データが該パラメータ群に従って変換されてなる第１の画像データと、該パラメータ群自体を、所定の情報読取装置での読取りが可能な画像として表現する第２の画像データとが合成された出力画像データを生成する画像処理部と、
前記画像処理部で生成された出力画像データを出力デバイスに向けて出力する画像出力部とを備えた画像処理装置として動作させることを特徴とする画像処理プログラム。
【発明の詳細な説明】
【０００１】
【発明の属する技術分野】
本発明は、出力画像を表わす画像データを生成する画像処理装置、その画像処理装置の機能を利用して出力画像の台帳を作成する画像出力台帳作成装置、およびコンピュータ内で実行されることにより、コンピュータをそのような画像処理装置として動作させる画像処理プログラムに関する。
【０００２】
【従来の技術】
従来、印刷の分野において、コンピュータを利用して印刷および製版までの作業を行うＤＴＰ（Ｄｅｓｋｔｏｐ　Ｐｕｂｌｉｓｈｉｎｇ）が広範に適用されている。ＤＴＰは、ＷＹＳＩＷＹＧ（Ｗｈａｔ　Ｙｏｕ　Ｓｅｅ　Ｉｓ　ＷｈａｔＹｏｕ　Ｇｅｔ＝見たままに出力する）という思想を実現するものである。このＤＴＰによると、オペレータは、表示画面を見ながら文字や画像の編集を行い、印刷物のイメージを確認してから、画像等をプリンタやイメージセッタなどで印刷・製版することができる。
【０００３】
ここで、オペレータが文字や画像を編集する際に使用するソフトウェアは、一般にＤＴＰソフトウェアとよばれ、編集後の画像を表わすデータは、ページ記述データとよばれるデータ型式のデータである。このページ記述データは、このままではプリンタ等の出力デバイスで出力することはできないため、ＲＩＰ（Ｒａｓｔｅｒ　Ｉｍａｇｅ　Ｐｒｏｃｅｓｓｏｒ）でページ記述データを出力デバイスで出力可能なビットマップデータ（網点画像のデータ）に変換することが行われている。
【０００４】
ＲＩＰでページ記述データをビットマップデータに変換し、さらに出力デバイスにそのビットマップデータを出力する指示を送るためには、オペレータは、使用する網点の種別を表わすパラメータ、トラッピングやオーバプリントのためのパラメータなど、データ変換時に必要な各種パラメータや、出力方向、出力デバイスの種類、印刷部数などを出力デバイスへ指示するための各種パラメータなど、多種類のパラメータを設定する必要がある。
【０００５】
【発明が解決しようとする課題】
ところで、例えば、印刷中に紙やフィルムが詰まってしまったときなどに、再度同一の印刷を行うには、上記のパラメータの設定がどうなっていたかを調べる必要がある。印刷物からそれらのパラメータの設定を判断することはできないので、従来、印刷物の余白に短いコメントを付加して印刷しておき、そのコメントをたよりにパラメータの設定を確認している。ここで、パラメータは多種類存在し、その内容も複雑なものであるため、コメントにパラメータの全ての内容を記述するのは、現実的ではない。そこで、コメントには一連番号などの簡素な情報を記述しておき、例えばそのコメントをたよりに、ＲＩＰのジョブキュー（ジョブの待ち行列）の中から印刷物に該当するジョブを探して、パラメータの設定を調べることが行われている。しかし、これらの作業は大変繁雑なものであるという問題がある。
【０００６】
本発明は、上記事情に鑑み、印刷物を作成するために設定された各種パラメータを、容易に取得する画像処理装置、画像処理プログラム、およびその画像処理装置の機能を利用した画像出力台帳作成装置を提供することを目的とする。
【０００７】
【課題を解決するための手段】
上記目的を達成する本発明の画像処理装置は、入力画像データを取得し該入力画像データに基づいて、画像データに基づいて画像をプリント出力する出力デバイスに適合した出力画像データを生成する画像処理装置において、
入力画像データを取得する画像取得部と、
入力画像データに基づく出力画像データ生成のための複数のパラメータを含むパラメータ群を指定するパラメータ指定部と、
画像取得部で取得した入力画像データに基づくとともに、さらにパラメータ指定部で指定されたパラメータ群に基づいて、入力画像データがパラメータ群に従って変換されてなる第１の画像データと、パラメータ群自体を、所定の情報読取装置での読取が可能な画像として表現する第２の画像データとが合成された出力画像データを生成する画像処理部と、
画像処理部で生成された出力画像データを出力デバイスに向けて出力する画像出力部とを備えたことを特徴とする。
【０００８】
本発明の画像処理装置は、印刷物を作成するために設定されたパラメータ群を、例えばバーコードリーダなどの情報読取装置で読取可能に表現した画像を表わす第２の画像データを含む出力画像データを生成する。出力画像データを出力した印刷物のうちの、パラメータ群を表わす画像を情報読取装置で読み取ることで、その印刷物を作成するのに必要なパラメータ群を容易に取得することができる。さらに、例えば、取得したパラメータ群をテンプレートとして登録することによって、同様の出力を行う際に、パラメータを設定する手間が省ける。
【０００９】
また、本発明の画像処理装置において、
パラメータ指定部は、上記のパラメータ群を構成するパラメータの１つとして、出力画像データの出力先を指定するパラメータを指定するものであって、
画像出力部は、出力画像データを、上記パラメータ群中の、出力先を指定するパラメータに応じた出力デバイスに向けて出力するものであることが好ましい。
【００１０】
出力画像データを出力した印刷物は、出力デバイスによって種類が異なり、例えば出力デバイスがプリンタである場合、印刷物は普通紙であり、出力デバイスがイメージセッタである場合、印刷物は製版フィルムになる。
【００１１】
また、例えば、複数のプリンタで出力画像データを出力する場合、プリンタの型番などによって印刷された画像の色が微妙に異なることがある。このように、再度同一の印刷を行う際に、はじめに使用した出力デバイスと異なる出力デバイスで出力すると、印刷物の種類や印刷された画像の色が異なってしまうことがある。
【００１２】
本発明の画像処理装置は、パラメータ群に出力画像データの出力先を指定するパラメータが含まれ、そのパラメータ群は情報読取装置で読み取り可能な画像として出力画像といっしょに印刷される。したがって、はじめに印刷した印刷物のパラメータ群を表わす画像を情報読取装置で読み取り、そのパラメータ群に従って再度出力することで、同じ出力デバイスで印刷物を作成することができる。
【００１３】
また、本発明の画像処理装置において、画像処理部は、第１の画像データと、パラメータ群自体および第１の画像データにより表わされる画像のサムネイル画像の双方を所定の情報読取装置で読取可能な形式で表現した画像を表わす第２の画像データとが合成された出力画像データを生成するものであってもよい。
【００１４】
本発明の画像処理装置によると、出力画像データを出力した印刷物のうち、第２の画像データが表わす画像を情報読取装置で読み取ることにより、印刷物を作成するために設定されたパラメータ群、および第１の画像データが表わす画像のサムネイル画像を取得することが可能である。
【００１５】
また、本発明の画像処理装置において、画像処理部は、第１の画像データと第２の画像データに加え、さらに、第１の画像データにより表わされる画像のサムネイル画像を表わす第３の画像データが合成された出力画像データを生成するものであることが好ましい。
【００１６】
通常、数ページ分の原稿を一枚のフィルム原版に印刷するため、フィルム原版等の印刷物は大きいものであることが多い。したがって、印刷物の全体のイメージをつかむには、印刷物を少し離れたところから確認するなどの手間がかかるものである。
【００１７】
本発明の画像処理装置によると、第１の画像データが表わす画像を縮小した画像であるサムネイル画像が、出力画像データを出力した印刷物に付加される。したがって、そのサムネイル画像を用いて印刷物の全体のイメージを容易に確認することができ、印刷物の整理にかかる手間を軽減できる。
【００１８】
また、本発明の画像出力台帳作成装置は、
主画像とともに、主画像を特定するとともに主画像を生成する過程で行われた画像処理を特定する複数のパラメータを含むパラメータ群を表わすパラメータ画像が記録された出力画像上の、パラメータ画像を読み取ってパラメータ群を取得する情報読取部と、
情報読取部で取得したパラメータ群に基づいて、出力画像の台帳を作成する台帳作成部とを備えたことを特徴とする。
【００１９】
従来、印刷作業の終了状況を管理するために台帳を作成することが行われている。この台帳は、オペレータが出力済みの印刷物を確認し、各印刷物を出力するためのパラメータ等を台帳に手書きや手入力で記入して作成されている。ところで、例えば、フィルムプリンタ等でフィルム原版を印刷しているときに、フィルム原版がフィルムプリンタに詰まってしまい、印刷作業が中断されてしまうことがある。このような場合、出力済みの印刷物を確認することは大変煩雑な作業である。また、台帳を手書きや手入力で作成するため、作業効率が低いうえ、台帳だけを見ても、印刷物のイメージを確認できないという問題がある。
【００２０】
本発明の画像出力台帳作成装置は、上記の画像処理装置で生成された出力画像データを出力した印刷物のうち、第２の画像データが表わす画像を情報取得部で読み取ってパラメータ群を取得し、そのパラメータ群に基づいて台帳を作成する。パラメータ群の入力には、例えばバーコードリーダなどを用いるため作業効率がよく、正確な台帳を作成することが可能である。さらに、第１の画像データが表わす画像のサムネイル画像をバーコードリーダで読み取り、台帳にそのサムネイル画像を付加することで、印刷物のイメージを容易に確認することができる。
【００２１】
さらに、本発明の画像処理プログラムは、コンピュータ内で実行され、コンピュータを、入力画像データを取得し入力画像データに基づいて、画像データに基づいて画像をプリント出力する出力デバイスに適合した出力画像データを生成する画像処理装置として動作させる画像処理プログラムにおいて、
コンピュータを、
入力画像データを取得する画像取得部と、
入力画像データに基づく出力画像データ生成のための複数のパラメータを含むパラメータ群を指定するパラメータ指定部と、
画像取得部で取得した入力画像データに基づくとともに、さらにパラメータ指定部で指定されたパラメータ群に基づいて、入力画像データがパラメータ群に従って変換されてなる第１の画像データと、パラメータ群自体を、所定の情報読取装置での読取りが可能な画像として表現する第２の画像データとが合成された出力画像データを生成する画像処理部と、
画像処理部で生成された出力画像データを出力デバイスに向けて出力する画像出力部とを備えた画像処理装置として動作させることを特徴とする。
【００２２】
本発明の画像処理プログラムをコンピュータ内で実行させることによって、そのコンピュータを上記のような画像処理装置として動作させることができる。
【００２３】
尚、本発明の画像処理プログラムには、本発明の画像処理装置の各種態様に対応する各種態様全てが含まれる。
【００２４】
【発明の実施の形態】
以下、本発明の実施形態について説明する。
【００２５】
図１は、本発明の一実施形態が適用された画像処理システムの全体構成図である。この画像処理システムは、コンピュータを使って印刷物を作成するＤＴＰが適用されており、オペレータがコンピュータを用いて編集した文字や画像を、印刷機やプリンタで印刷するシステムである。
【００２６】
図１には、パーソナルコンピュータ１０が示されており、そのパーソナルコンピュータ１０は、オペレータが編集した文字および画像に基づく、ページ記述データで記述された言語データを、いわゆるＲＩＰにより、ビットマップに展開された画像データに変換する。この画像データは、印刷を行なう場合は、フィルムプリンタ２０に入力され、フィルムプリンタ２０では、その入力された画像データに対応した、印刷用フィルム原版２１が作成される。この印刷用フィルム原版２１を用いて、図示していない印刷機で印刷物が作成される。また、印刷の仕上がりを事前に確認するためのプルーフ画像を作成するにあたっては、パーソナルコンピュータ１０で生成された画像データがカラープリンタ３０に入力され、カラープリンタ３０で画像データに基づくプルーフ画像３１が作成される。また、ハンディスキャナ４０は、原稿画像を読み取り、読み取った原稿画像を基に画像データを生成するスキャナの機能に、バーコード画像を読み取って、そのバーコード画像を表わす文字データを生成するバーコードスキャナの機能が加わったスキャナである。なお、このハンディスキャナ４０は、大きな画像を読み取るのには向かず、例えばサムネイル画像などを読み込む際に使用する。このハンディスキャナ４０は、本発明にいう情報読取装置の一例に相当する。
【００２７】
ここで、この図１に示す画像処理システムにおける、本発明の一実施形態としての特徴は、パーソナルコンピュータ１０の内部で実行される処理内容にあり、以下、このパーソナルコンピュータ１０について説明する。
【００２８】
図２は、図１のパーソナルコンピュータ１０の外観斜視図、図３はそのハードウェア構成図である。
【００２９】
このパーソナルコンピュータ１０は、外観構成上、本体装置１１０、その本体装置１１０からからの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコン等に応じた指示を入力するマウス１４０を備えている。この本体装置１１０は、外観上、フレキシブルディスクを装填するためのフレキシブルディスク装填口１１１、およびＣＤ−ＲＯＭを装填するためのＣＤ−ＲＯＭ装填口１１２を有する。
【００３０】
本体装置１１０の内部には、図３に示すように、各種プログラムを実行するＣＰＵ１１３、ハードディスク装置１１５に格納されたプログラムが読み出されＣＰＵ１１３での実行のために展開される主メモリ１１４、各種プログラムやデータ等が保存されたハードディスク装置１１５、フレキシブルディスク２００が装填され、そのフレキシブルディスク２００をアクセスするフレキシブルディスクドライブ１１６、ＣＤ−ＲＯＭ３００をアクセスするＣＤ−ＲＯＭドライブ１１７、図１のハンディスキャナ４０から画像データを受け取る入力インタフェース１１８、図１のフィルムプリンタ２０に画像データを送る出力インタフェース１１９ａ、図１のカラープリンタ３０に画像データを送る出力インタフェース１１９ｂが内蔵されており、これらの各種要素と、さらに図２にも示す画像表示装置１２０、キーボード１３０、マウス１４０は、バス１５０を介して相互に接続されている。
【００３１】
ここで、ＣＤ−ＲＯＭ３００には、このパーソナルコンピュータ１０を本発明の画像処理装置の一実施形態として動作させるための画像処理プログラムが記憶されており、そのＣＤ−ＲＯＭ３００はＣＤ−ＲＯＭドライブ１１７に装填され、そのＣＤ−ＲＯＭ３００に記憶された画像処理プログラムがこのパーソナルコンピュータ１０にアップロードされてハードディスク装置１１５に記憶される。こうしてパーソナルコンピュータ１０は本発明の画像処理装置の一実施形態である図５の画像処理装置４００（後述する）として動作する。
【００３２】
次に、このパーソナルコンピュータ１０内で実行される、画像処理プログラムについて説明する。
【００３３】
図４は、本発明の画像処理プログラムの一実施形態が記憶されたＣＤ−ＲＯＭ３００を示す概念図である。
【００３４】
画像処理プログラム３１０は、画像取得部３１１と、パラメータ指定部３１２と、画像処理部３１３と、画像出力部３１４で構成されている。ここで、画像取得部３１１は本発明の画像処理プログラムにおける画像取得部の一例に相当し、同様に、パラメータ指定部３１２は本発明の画像処理プログラムにおけるパラメータ指定部、画像処理部３１３は画像処理部、画像出力部３１４は画像出力部の一例に相当する。画像処理プログラム３１０の各部の詳細については、図５に示す本発明の画像処理装置の一実施形態である画像処理装置４００の各部の作用と一緒に説明する。
【００３５】
図５は、この画像処理プログラム３１０を図１のパーソナルコンピュータ１０にインストールし、パーソナルコンピュータ１０を本発明の画像処理装置の一実施形態として動作させるときの画像処理装置４００の機能ブロック図である。
【００３６】
図５に示す画像処理装置４００は、画像取得部４１０、パラメータ指定部４２０、画像処理部４３０、および画像出力部４４０で構成される。
【００３７】
画像処理プログラム３１０をパーソナルコンピュータ１０にインストールすると、図４の画像処理プログラム３１０を構成する画像取得部３１１は図５の画像取得部４１０を生成し、同様にパラメータ指定部３１２はパラメータ指定部４２０を生成し、画像処理部３１３は画像処理部４３０を生成し、画像出力部３１４は画像出力部４４０を生成する。
【００３８】
画像取得部４１０は、オペレータが編集した画像に基づく画像データを取得し、その画像データを画像処理部４３０に出力する。ここで、画像取得部４１０で取得する画像データはページ記述データで記述された画像データであり、この画像データは、本発明にいう入力画像データの一例にあたる。また、画像取得部４１０は、本発明の画像処理装置における画像取得部の一例に相当する。
【００３９】
パラメータ指定部４２０は、ハードウェア上は、主として、図２および図３のキーボード１３０およびマウス１４０にあたり、印刷物を作成するために必要なパラメータを指定するためのものである。オペレータは、パラメータ指定部４２０を用いて、所望の印刷物を作成するために必要なパラメータの値を指定する。ここで指定された複数のパラメータ（以下、これらのパラメータをまとめてパラメータ群と称する）は、画像処理部４３０に送られるとともに、パラメータ群のうちの出力デバイスを指定するパラメータ（後述する）は、画像出力部４４０にも送られる。このパラメータ指定部４２０は、本発明の画像処理装置におけるパラメータ指定部の一例にあたる。
【００４０】
画像処理部４３０は、画像取得部４１０から入力したページ記述データ形式の画像データを、パラメータ指定部４２０で指定されたパラメータ群に従って、ビットマップデータ形式の画像データに変換する。また、パラメータ指定部４２０で指定されたパラメータ群を基に、図１のハンディスキャナ４０で読み取り可能なバーコード画像を表わすバーコードデータを生成し、さらに、画像取得部４１０から入力した画像データが表わす画像の、サムネイル画像を表わすサムネイル画像データを生成する。さらに、これらの画像データ、バーコードデータ、サムネイル画像データを合成して出力画像データを生成し、出力画像データを画像出力部４４０に出力する。この画像処理部４３０は、本発明の画像処理装置の画像処理部の一例に相当する。
【００４１】
画像出力部４４０は、画像処理部４３０から入力した出力画像データを、パラメータ指定部４２０で指定された出力デバイスに出力する。この画像出力部４４０は、本発明の画像処理装置の画像出力部の一例に相当する。
【００４２】
ここで、本発明の画像処理装置の特徴は、画像処理部４３０の動作にあり、以下、この画像処理部４３０について詳しく説明する。
【００４３】
図６は、画像処理部４３０の機能ブロック図である。
【００４４】
画像処理部４３０は、ビットマップデータ変換部４３１、サムネイル画像データ生成部４３２、バーコードデータ生成部４３３、および出力画像データ生成部４３４を具備している。
【００４５】
ビットマップデータ変換部４３４は、図５の画像取得部４１０から取得した入力画像データを、図５のパラメータ指定部４２０から受け取ったパラメータ群に従って、ビットマップ形式のデータであるビットマップデータに変換する。このビットマップデータは、本発明にいう第１の画像データの一例にあたる。生成されたビットマップデータはサムネイル画像データ生成部４３２および出力画像データ生成部４３４に送られ、パラメータ群はバーコードデータ生成部４３３に送られる。
【００４６】
サムネイル画像データ生成部４３２は、ビットマップデータ変換部４３１から送られたビットマップデータを基に、ビットマップデータよりも解像度の低いサムネイル画像データを生成する。生成されたサムネイル画像データは、出力画像データ生成部４３４に送られる。
【００４７】
バーコードデータ生成部４３３は、ビットマップデータ変換部４３４からパラメータ群を取得する。さらに、取得したパラメータ群を表わし、図１に示すハンディスキャナ４０で読み取り可能なバーコード画像を表わすバーコードデータを生成する。生成されたバーコードデータは、出力画像データ生成部４３４に送られる。
【００４８】
出力画像データ生成部４３４は、バーコードデータ生成部４３３から送られたバーコードデータおよびサムネイル画像データ生成部４３２から送られたサムネイル画像データを、ビットマップ画像データ変換部４３１から送られたビットマップデータと合成し、出力画像データを生成する。この出力画像データは、本発明にいう、出力画像データの一例に相当する。生成された出力画像データは、図５に示す画像出力部４４０に送られる。
【００４９】
ここで、出力画像データは、オペレータが編集した画像に、バーコードデータが表わすバーコード画像およびサムネイル画像データが表わすサムネイル画像が付加された画像を表わす。図１のハンディスキャナ４０は、バーコード画像およびサムネイル画像を読み取ることが可能であり、本実施形態においては、バーコードデータとサムネイル画像データをあわせたものが、本発明にいう第２の画像データの一例に相当し、サムネイル画像データが、本発明にいう第３の画像データの一例にあたる。
【００５０】
画像処理装置４００は、基本的には以上のように構成されるものであり、次に、この画像処理装置４００を用いて、印刷物を作成する手順について説明する。
【００５１】
図７は、画像処理装置４００を用いて図１のプルーフ画像３１を作成する手順を示すフローチャート図である。以下、このフローチャート図を用いて説明する。
【００５２】
まず、オペレータは、図１および図２のパーソナルコンピュータ１０に予めインストールされているＤＴＰソフトウェアを使い、表示画面１２１で印刷物のイメージを確認しながら、文字および画像を編集する。ＤＴＰソフトウェアの作用により、編集された文字および画像に基づく、ページ記述データで記述された画像データが生成され、その画像データは図５の画像取得部４１０に送られる。
【００５３】
図５の画像取得部４１０は、ＤＴＰソフトウェアを用いて生成された画像データ（以下、この画像データを入力画像データと称する）を取得する（図７のステップ（ａ））。この入力画像データは、画像処理部４３０のビットマップデータ変換部４３１に送られる。
【００５４】
次に、パラメータ群の指定を行う（図７のステップ（ｂ））。
【００５５】
パラメータ群には、出力デバイス名、印刷方向、印刷部数、網点種、コメント等を表わすパラメータや、トラッピングおよびオーバプリントのためのパラメータなどが含まれるが、これらのパラメータ群を毎回設定するのは大変面倒な作業である。したがって、パラメータ群の設定の代表的なものを予めテンプレートとして記憶しておき、テンプレートのパラメータ群を基に、変更するパラメータのみ更新する。
【００５６】
オペレータは、画像の編集が終了すると、予め用意されているパラメータ設定画面を開き、図５のパラメータ指定部４２０に相当する、図２のキーボード１３０およびマウス１４０を用いて所望のパラメータ群の設定に近いテンプレートを指定する。さらに、指定したテンプレートのパラメータ群の設定を確認し、変更が必要なパラメータの値を更新する。尚、今回は、図１のカラープリンタ３０でプルーフ画像３１を印刷するため、出力デバイス名として、カラープリンタ３０が指定されている。パラメータ指定部４２０で取得されたパラメータ群は、画像処理部４３０のビットマップデータ変換部４３１へ送られるとともに、出力デバイス名は、パラメータ指定部４２０から画像出力部５４０にも送られる。この出力デバイス名は、本発明にいう、「出力先を指定するパラメータ」の一例に相当する。
【００５７】
次に、入力画像データをビットマップ形式のデータに変換する（図７のステップ（ｃ））。
【００５８】
ビットマップデータ変換部４３１では、画像取得部４１０から送られた入力画像データを、パラメータ指定部４２０から送られたパラメータ群に従って、出力デバイスで出力可能なデータ形式であるビットマップ形式のビットマップデータに変換する。変換されたビットマップデータは、サムネイル画像生成部４３３および出力画像データ生成部４３４に送られ、パラメータ群はバーコードデータ生成部４３３に送られる。
【００５９】
次に、サムネイル画像データを生成する（図７のステップ（ｄ））。
【００６０】
サムネイル画像データ生成部４３２では、ビットマップデータの解像度を下げたサムネイル画像データが生成される。このサムネイル画像データは、出力画像データ生成部４３４に送られる。
【００６１】
次に、バーコードデータを生成する（図７のステップ（ｅ））。
【００６２】
バーコードデータ生成部４３３は、ビットマップデータ変換部４３１からパラメータ群を入力する。また、図３のＣＰＵ１１３から、本印刷作業を表わすジョブＩＤを取得し、このジョブＩＤをパラメータ群に加える。さらに、このパラメータ群を表わし、図１のハンディスキャナ４０で読み取り可能な画像を表わすバーコードデータを生成する。このバーコードデータは、出力画像データ生成部４３４に送られる。
【００６３】
次に、出力画像データを生成する（図７のステップ（ｆ））。
【００６４】
出力画像データ生成部４３４では、バーコードデータ生成部４３３およびサムネイル画像データ生成部４３２から入力したバーコードデータおよびサムネイル画像データを、ビットマップデータ変換部４３１から入力したビットマップデータと合成して、出力画像データを生成する。
【００６５】
図８は、出力画像データが表わす画像５０を示す図である。
【００６６】
画像５０は、ビットマップ画像５１、サムネイル画像５２、およびバーコード画像５３で構成されている。
【００６７】
ビットマップ画像５１は、ビットマップデータが表わす画像であり、これは、オペレータが文字および画像を編集したときに、図２の表示画面１２１に表示されていた画像と同様のものである。
【００６８】
サムネイル画像５２は、サムネイル画像データが表わす画像であり、ビットマップ画像５１を縮小した画像になっている。このサムネイル画像５２は、図１のハンディスキャナ４０で読み取り可能である。
【００６９】
バーコード画像５３は、バーコードデータが表わす画像である。図１のハンディスキャナ４０はバーコード画像５３を読み取ることにより、設定されたパラメータ群を取得することができる。
【００７０】
出力画像データは上記のような画像を表わすデータであり、この出力画像データは、図５の画像出力部４４０へ送られる。
【００７１】
次に、この出力画像データを図１のカラープリンタ３０で出力する（図７のステップ（ｇ））。
【００７２】
図５のパラメータ指定部４２０から出力デバイス名を入力した画像出力部４４０は、画像処理部４３０の出力画像生成部４３４から受け取った出力画像データを出力デバイス名に対応する、図１のカラープリンタ３０へ出力する。
【００７３】
出力画像データを受け取ったカラープリンタ３０は、その出力画像データを出力し、プルーフ画像３１が作成される。
【００７４】
以上のような手順で、本実施形態の画像処理装置を用いて印刷物が作成される。
【００７５】
ところで、例えばプルーフ画像３１と同様のプルーフ画像を再度印刷するときなど、プルーフ画像３１を印刷したときに設定したパラメータ群の値を知りたいと欲するとき、印刷されたプルーフ画像３１を目視で確認してパラメータ群を推定することは困難である。
【００７６】
ここで、図１のハンディスキャナ４０を用いて、プルーフ画像３１の、図８に示すバーコード画像５３およびサムネイル画像５２に相当する画像を読み取る。読み取られた画像は、ハンディスキャナ４０でパラメータ群およびサムネイル画像に解読され、さらに、解読されたパラメータ群およびサムネイル画像は、図２の表示画面１２１に表示される。
【００７７】
このように、本発明の画像処理装置によると、印刷物に付加されたバーコード画像およびサムネイル画像を、例えば図１のハンディスキャナ４０のような情報読取装置で読み取ることで、パラメータの値を容易に取得することが可能である。
【００７８】
また、取得されたパラメータ群の設定を、新たなテンプレートとして記憶しておくと、同様な印刷を行うときのパラメータ設定の手間が軽減される。
【００７９】
以上で、画像処理装置４００の説明を終了する。
【００８０】
次に、本実施形態の画像処理装置４００を用いて作成した印刷物から、台帳を作成する本発明の画像出力台帳作成装置の一実施形態について説明する。
【００８１】
図９は、図１および図２のパーソナルコンピュータ１０を、本発明の画像出力台帳作成装置の一実施形態として動作させるための画像出力台帳作成プログラムが記憶されたＣＤ−ＲＯＭ５００を示す概念図である。
【００８２】
図３に示すＣＤ−ＲＯＭ３００に換えて、ＣＤ−ＲＯＭ５００がＣＤ−ＲＯＭドライブ１１６に装填され、そのＣＤ−ＲＯＭ５００に記憶された画像出力台帳作成プログラムがこのパーソナルコンピュータ１０にアップロードされてハードディスク装置１１５に記憶される。こうしてパーソナルコンピュータ１０は本発明の画像出力台帳作成装置の一実施形態である、図１０の画像出力台帳作成装置６００（後述する）として動作する。
【００８３】
図９に示すように、ＣＤ−ＲＯＭ５００に記憶された画像出力台帳作成プログラム５１０は、光学式情報読取部５１１と、台帳作成部５１２で構成されている。ここで、光学式情報読取部５１１は本発明の画像出力台帳作成プログラムにおける情報読取部の一例に相当し、同様に、台帳作成部５１２は本発明の画像出力台帳作成プログラムにおける台帳作成部の一例に相当する。画像出力台帳作成プログラム５１０の各部の詳細については、図９に示す本発明の一実施形態である画像出力台帳作成装置６００の各部の作用と一緒に説明する。
【００８４】
図１０は、この画像出力台帳作成プログラム５１０を図１のパーソナルコンピュータ１０にインストールし、パーソナルコンピュータ１０を本発明の画像出力台帳作成装置の一実施形態として動作させるときの画像出力台帳作成装置６００の機能ブロック図である。
【００８５】
図１０に示す画像出力台帳作成装置６００は、光学式情報読取部６１０、および台帳作成部６２０で構成される。
【００８６】
画像出力台帳作成プログラム５１０をパーソナルコンピュータ１０にインストールすると、図９の画像出力台帳作成プログラム５１０を構成する光学式情報読取部５１１は図１０の光学式情報読取部６１０を生成し、同様に台帳作成部５１２は台帳作成部６２０を生成する。
【００８７】
光学式情報読取部６１０は、図１のハンディスキャナ４０にあたり、バーコード画像およびサムネイル画像を読み取って、バーコード画像を表わすパラメータ群やサムネイル画像を表わすサムネイル画像データを取得する。取得されたパラメータ群およびサムネイル画像データは、台帳作成部６２０に送られる。この光学式情報読取部６１０は、本発明の画像出力台帳作成装置における情報読取部の一例に相当する。
【００８８】
台帳作成部６２０は、光学式情報読取部６１０から送られたパラメータ群およびサムネイル画像データを基に、台帳を作成する。この台帳は、印刷物の管理等を目的とするものである。この台帳作成部６２０は、本発明の画像出力台帳作成装置における台帳作成部の一例に相当する。
【００８９】
本実施形態の画像出力台帳作成装置は、基本的には以上のように構成されている。次に、前述した画像処理装置４００を用いて生成された印刷物の台帳を作成する手順について説明する。
【００９０】
まず、印刷物から、その印刷物を生成するのに必要なパラメータ群およびその印刷物のサムネイル画像を取得する。
【００９１】
光学式情報読取部６１０は、印刷物のうち、図８に示すバーコード画像５３およびサムネイル画像５２に相当する画像を読み取る。さらに、読み取った画像から、印刷物を作成した際に設定されたパラメータ群、およびサムネイル画像を表わすサムネイル画像データを取得する。ここで、取得されたパラメータ群は、以下のような項目および設定であるとする。
【００９２】
＜パラメータ＞
出力デバイス名：カラープリンタ３０
ジョブＩＤ　　：０００１
テンプレート名：１
出力方向　　　：ヨコ
出力部数　　　：５０
コメント　　　：印刷番号１
…
これらのパラメータ、およびサムネイル画像データは、台帳作成部６２０に送られる。
【００９３】
次に、台帳を作成する。
【００９４】
台帳作成部６２０は、パラメータ群、サムネイル画像データを、予め用意されているフォーマットにあうように並べて、台帳を作成する。
【００９５】
図１１は、上記のパラメータ群に従って出力された印刷物から生成した台帳６０を示す図である。
【００９６】
図１１に示す台帳６０には、パラメータ群６１およびサムネイル画像６２が記載されており、サムネイル画像６２を見ただけで、印刷物のイメージが確認できる構成になっている。
【００９７】
このように、本発明の画像出力台帳作成装置によると、作業効率がよく、さらに正確に台帳を作成することが可能である。
【００９８】
ここで、本実施形態では、情報読取装置として光学式情報読取装置であるハンディスキャナを用いる例について説明したが、第２の画像データが表わす画像を読み取り可能なものであれば、例えば磁気式情報読取装置などでもよい。
【００９９】
また、本実施形態では、第２の画像データが表わす画像を、光学式の情報読取装置で読み取り可能な画像として印刷する例について説明したが、例えば、磁気インクで印刷して、読み取るときには磁気式情報読取装置を用いるものであってもよい。さらに、画像出力台帳作成装置の情報読取部は、光学式ではなく磁気式に画像を読み込むものであってもよい。
【０１００】
また、本実施形態の画像処理部は、第１の画像データが表わす画像のサムネイル画像を表わす第３の画像データを生成するものであったが、第１および第２の画像データを合成してなる出力画像データを生成するものであれば、第３の画像データは生成しないものであってもよい。
【０１０１】
さらに、本実施形態の画像出力台帳作成装置は、第１の画像データが表わす画像のサムネイル画像を含むものであったが、これはサムネイル画像を含まないものであってもよい。
【０１０２】
【発明の効果】
以上、説明したように、本発明によれば、印刷物を作成するために設定された各種パラメータを、容易に取得する画像処理装置、画像処理プログラム、およびその画像処理装置の機能を利用した画像出力台帳作成装置を提供することができる。
【図面の簡単な説明】
【図１】本発明の一実施形態が適用された画像処理システムの全体構成図である。
【図２】パーソナルコンピュータ１０の外観斜視図である。
【図３】パーソナルコンピュータ１０のハードウェア構成図である。
【図４】本発明の一実施形態の画像処理プログラムが記憶されたＣＤ−ＲＯＭ３００を示す概念図である。
【図５】本発明の画像処理装置の一実施形態である画像処理装置４００の機能ブロック図である。
【図６】画像処理部４３０の機能ブロック図である。
【図７】画像処理装置４００を用いて図１のプルーフ画像３１を作成する手順を示すフローチャート図である。
【図８】出力画像データが表わす画像５０を示す図である。
【図９】本発明の一実施形態の画像出力台帳作成プログラムが記憶されたＣＤ−ＲＯＭ５００を示す概念図である。
【図１０】本発明の画像出力台帳作成装置の一実施形態である画像出力台帳作成装置６００の機能ブロック図である。
【図１１】印刷物から生成した台帳６０を示す図である。
【符号の説明】
１０　　パーソナルコンピュータ
２０　　フィルムプリンタ
２１　　印刷用フィルム
３０　　カラープリンタ
３１　　プルーフ画像
４０　　ハンディスキャナ
５０　　画像
５１　　ビットマップ画像
５２　　サムネイル画像
５３　　バーコード画像５３
６０　　台帳６０
６１　　パラメータ群
６２　　サムネイル画像６２
１１０　　本体装置
１１１　　フレキシブルディスク装填口
１１２　　ＣＤ−ＲＯＭ装填口
１１３　　ＣＰＵ
１１４　　主メモリ
１１５　　ハードディスク装置
１１６　　フレキシブルディスクドライブ
１１７　　ＣＤ−ＲＯＭドライブ
１１８　　入力インタフェース
１１９ａ　　出力インタフェース
１１９ｂ　　出力インタフェース
１５０　　バス１５０
１２０　　画像表示装置
１２１　　表示画面
１３０　　キーボード
１４０　　マウス
２００　　フレキシブルディスク
３００　　ＣＤ−ＲＯＭ
３１０　　画像処理プログラム
３１１　　画像取得部
３１２　　パラメータ指定部
３１３　　画像処理部
３１４　　画像出力部
４００　　画像処理装置
４１０　　画像取得部
４２０　　パラメータ指定部
４３０　　画像処理部
４３１　　ビットマップデータ変換部
４３２　　サムネイル画像データ生成部
４３４　　バーコードデータ生成部
４３４　　出力画像データ生成部
４４０　　画像出力部
５００　　ＣＤ−ＲＯＭ
５１０　　画像出力台帳作成プログラム
５１１　　光学式情報読取部
５１２　　台帳作成部
６００　　画像出力台帳作成装置
６１０　　光学式情報読取部
６２０　　台帳作成部
【図１】
2004023167.tif 000003
【図２】
2004023167.tif 000004
【図３】
2004023167.tif 000005
【図４】
2004023167.tif 000006
【図５】
2004023167.tif 000007
【図６】
2004023167.tif 000008
【図７】
2004023167.tif 000009
【図８】
2004023167.tif 000010
【図９】
2004023167.tif 000011
【図１０】
2004023167.tif 000012
【図１１】
2004023167.tif 000013